(57)【要約】【課題】高速化に対応でき、且つ整合後の用紙ずれの防止の可能な用紙積載装置を備える画像記録装置を提供すること。【解決手段】先端保持手段と先端ストッパと用紙整合部と昇降排紙皿とを用紙積載装置に設け、用紙整合部には上面検知手段が設置され、上面検知手段は、突起部材駆動手段と上面位置検知センサとによって構成され、用紙整合部で用紙が整合された後、突起部材は昇降排紙皿に向けて落下中の用紙の上面を下方に向けて叩き落とし、用紙の落下促進および、落下した用紙の固定を行い、上面位置検知センサによって、積載した用紙上面を検知し、昇降排紙皿を所定位置まで下降させるよう動作させることを特徴とする用紙積載装置を備える画像記録装置。【選択図】        図２
2004189457.tif 000002
【特許請求の範囲】
【請求項１】
排出された用紙を１枚毎に搬送し、前記用紙を水平な状態で大量積載を行う用紙積載装置を備える画像記録装置において、
排出中の用紙の先端を保持して搬送する先端保持手段と、
前記先端保持手段によって搬送された用紙の先端位置を規制する先端ストッパと、
前記先端ストッパに当接して落下する用紙の幅方向を整合する用紙整合部と、
前記用紙整合部の下方に設置され、前記用紙整合部で整合した用紙を水平な状態で積載し、前記積載した用紙の上面が所定位置になるように昇降可能に構成された昇降排紙皿と、
を前記用紙積載装置に設け、
前記用紙整合部には前記昇降排紙皿に積載した用紙の上面位置を検知する上面検知手段が設置され、
前記上面検知手段は、前記用紙の搬送パスの上方から下方に向けて叩き落とし可能な突起部材と前記突起部材を駆動する突起部材駆動手段と、前記突起部材の位置を検知する上面位置検知センサとによって構成され、
前記用紙整合部で前記用紙が整合された後、前記突起部材は前記昇降排紙皿に向けて落下中の用紙の上面を下方に向けて叩き落とし、前記用紙の落下促進および、昇降排紙皿上に落下した用紙の固定を行い、前記上面位置検知センサによって、積載した用紙上面を検知し、前記昇降排紙皿を所定位置まで下降させるよう動作させることを特徴とする用紙積載装置を備える画像記録装置。
【発明の詳細な説明】
【０００１】
【発明の属する技術分野】
本発明は、例えばデジタル複写機やデジタル複合機等に用いられる用紙積載装置を備える画像記録装置に関し、特に、用紙積載装置に設けられる昇降排紙皿（昇降トレイ）に排出された用紙上面を検知する検知手段（上面位置検知センサ）を有する用紙積載装置を備える画像記録装置に関する。
【０００２】
【従来の技術】
従来より、画像記録装置の付属装置として用いられる用紙積載装置としては、用紙トレイ（排紙皿）は昇降せず、固定の排紙サイドフェンスに突起部材を設け、該突起部材を出没させる構成のものが多く用いられている。
【０００３】
用紙積載装置を備える画像記録装置として、例えば、用紙トレイを昇降させず、排紙サイドフェンスに出没可能な突起部材を設け、突起部材に用紙の両端部を引っかけ、用紙の落下時の姿勢を下に凸の形状にするものが知られている（特許文献１参照。）。
【０００４】
【特許文献１】
特開平９−１２４２１６号公報
【０００５】
【発明が解決しようとする課題】
しかしながら、上記特許文献１に記載の用紙積載装置を備える画像記録装置においては、排紙皿（用紙トレイ）のシフトが不可能であり、用紙積載装置に積載する用紙の積載量を増加させると、排紙サイドフェンスは用紙トレイの底部に設置される為、用紙の用紙トレイへの落下距離が長くなり、用紙の落下時の姿勢の制御が困難であった。
【０００６】
本発明は上記の不具合を解消し、高速化に対応でき、且つ整合後の用紙ずれの防止の可能な用紙積載装置を備える画像記録装置を提供することを目的とする。
【０００７】
【課題を解決するための手段】
上記目的は、排出された用紙を１枚毎に搬送し、前記用紙を水平な状態で大量積載を行う用紙積載装置を備える画像記録装置において、排出中の用紙の先端を保持して搬送する先端保持手段と、前記先端保持手段によって搬送された用紙の先端位置を規制する先端ストッパと、前記先端ストッパに当接して落下する用紙の幅方向を整合する用紙整合部と、前記用紙整合部の下方に設置され、前記用紙整合部で整合した用紙を水平な状態で積載し、前記積載した用紙の上面が所定位置になるように昇降可能に構成された昇降排紙皿と、を前記用紙積載装置に設け、前記用紙整合部には前記昇降排紙皿に積載した用紙の上面位置を検知する上面検知手段が設置され、前記上面検知手段は、前記用紙の搬送パスの上方から下方に向けて叩き落とし可能な突起部材と前記突起部材を駆動する突起部材駆動手段と、前記突起部材の位置を検知する上面位置検知センサとによって構成され、前記用紙整合部で前記用紙が整合された後、前記突起部材は前記昇降排紙皿に向けて落下中の用紙の上面を下方に向けて叩き落とし、前記用紙の落下促進および、昇降排紙皿上に落下した用紙の固定を行い、前記上面位置検知センサによって、積載した用紙上面を検知し、前記昇降排紙皿を所定位置まで下降させるよう動作することを特徴とする用紙積載装置を備える画像記録装置によって達成される。
【０００８】
本発明は上記の如き構成をとることにより、用紙積載装置の設けられる昇降排紙皿（昇降トレイ）のシフトが可能であり、落下時に用紙上面を叩くため、落下時間が短縮されて処理時間に余裕ができ、高速化の対応が図られ、且つ、用紙の昇降排紙皿への落下後も上面検知手段により、積載される用紙の上面を検知している間は用紙上面が押さえられているため、積載される用紙の整合後の用紙ずれの防止が図られる用紙積載装置を備える画像記録装置の提供を可能とするものである。
【０００９】
【発明の実施の形態】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１０】
（１）本発明の適用される画像記録装置の一例を図１に示す。なお、図１は画像形成装置Ａと用紙積載装置Ｂとからなる画像記録装置の全体構成図であり、また、画像形成装置Ａにおいて画像が形成されて用紙積載装置Ｂに送り込まれる用紙を記録紙と言う。
【００１１】
［画像形成装置］
画像形成装置Ａは、回転する像担持体１の周囲に、帯電手段２、像露光手段（書込手段）３、現像手段４、転写手段５Ａ、除電手段５Ｂ、分離爪５Ｃ及びクリーニング手段５Ｄを配置した画像形成部を有し、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００１２】
一方、給紙手段６Ａから給紙された記録紙（用紙）Ｐは中間給紙部６Ｂを経て転写位置へと送られる。転写位置において転写手段５Ａにより前記トナー像が記録紙Ｐ上に転写される。その後に、記録紙Ｐは除電手段５Ｂにより裏面の電荷が消去され、分離爪５Ｃにより像担持体１から分離され、搬送手段７Ａにより搬送され、引き続き定着手段８により加熱定着され、排紙ローラ７Ｃにより排出される。
【００１３】
一方、像担持体１の表面は転写後に分離爪５Ｃの下流においてクリーニング手段５Ｄによりクリーニングされ、次の画像形成に備える。
【００１４】
記録紙Ｐの両面に画像形成を行う場合には、定着手段８により加熱定着された記録紙Ｐを、搬送路切換板７Ｂにより通常の排紙通路から分岐し、反転搬送手段７Ｄにおいてスイッチバックして表裏反転した後、トナー面（画像面）を下として排紙ローラ７Ｃにより装置外に排出される。排紙ローラ７Ｃから排出された記録紙Ｐは、用紙積載装置Ｂの入口部１０に送り込まれる。
【００１５】
用紙積載装置Ｂには、後段において詳述する用紙搬送部２０、用紙整合部１００、および、用紙積載部としての昇降排紙皿（昇降トレイ）２００が設けられる。
【００１６】
画像形成装置Ａから用紙積載装置Ｂの入口部１０に搬入された記録紙Ｐは、搬送パスＨＬａの近傍にて、後述する用紙積載処理を施され、用紙積載処理を終えた記録紙Ｐは用紙積載装置Ｂの昇降排紙皿（昇降トレイ）２００へと排出される。
【００１７】
（２）画像記録装置に設けられる用紙積載装置の構成用紙積載処理について、図２または図３に基づき説明する。なお図２は、用紙積載装置の要部断面図であり、図３は、図２の上面図である。
【００１８】
［用紙積載装置］
図２または図３に示すように、用紙積載装置Ｂには、先端保持手段としての先端保持部材１０２を有する用紙搬送部２０、用紙整合部１００および昇降排紙皿（昇降トレイ）２００が設けられ、前述した画像形成装置Ａから搬入された記録紙（用紙）Ｐは、先端保持部材１０２を有する用紙搬送部２０、用紙整合部１００および昇降トレイ２００により、後述する用紙積載処理を施さる。
【００１９】
用紙積載装置Ｂにおいて用紙積載処理がされた記録紙Ｐは、用紙積載装置Ｂの昇降トレイ２００へ排出されて積載される。記録紙Ｐ（或いは用紙束Ｔ）が積載された昇降トレイ２００は、例えばインタラプタスイッチＩＳｗが用いられる上面位置検知センサの位置検知により、所定位置まで下降される。また、用紙搬送部２０には先端保持手段としての先端保持部材１０２が設けられる。また、搬送パスＨＬａの下流側で先端ストッパ１０１の上流側に上面検知手段１３０が設けられる。
【００２０】
・用紙搬送部
図２に示すように、用紙搬送部２０は、入口部１０から一対のローラ部材からなる胴内排紙ローラＤＲａまでを云い、用紙搬送部２０には、画像記録装置の本体（画像形成装置Ａ）から排出された記録紙（用紙）Ｐを搬送する入口部１０の直後の一対の搬送ローラＨＲａと、用紙搬送部２０を通過する時に記録紙Ｐの先端を搬送パスＨＬａ上に保持する先端保持手段としての先端保持部材１０２とが配置される。先端保持部材１０２は、不図示の駆動モータによって駆動されるベルトＢａに取り付けられる。また先端保持部材１０２には、記録紙Ｐをくわえるようにして保持するためのバネＳＰａが設けられる。また、搬送ローラＨＲａと胴内排紙ローラＤＲａとの間に記録紙Ｐの通過タイミングを検知するセンサＳａが設けられる。
【００２１】
・用紙整合部
図２に示すように、用紙整合部１００には、胴内排紙ローラＤＲａから先端ストッパ１０１までの搬送パスＨＬａが設けられる。また用紙整合部１００は、先端保持部材１０２によって保持搬送されてきた記録紙Ｐの先端位置を規制する先端ストッパ１０１と、幅方向の整合を行う左右の用紙整合板１１０Ａおよび用紙整合板１１０Ｂと、搬送方向の整合を行う為の、搬送パスＨＬａ上での記録紙Ｐの搬送方向後端側（胴内排紙ローラＤＲａの直後）の基準板１０３とで構成される。また用紙整合部１００には、それぞれ不図示の駆動モータによって駆動される、ベルトＢａと、ベルトＢａを挟んで両側には、ベルトＢｂが設けられる。先端ストッパ１０１は、当該ベルトＢｂにそれぞれ融着によって固定されて取り付けられる。
【００２２】
また図３に示すように、用紙整合板１１０Ａは、従動回転されるプーリＰＬａを介して排紙方向に直角な方向に移動可能とするタイミングベルトＴＢａに支持されて、軸受けＪＴａに保持される軸Ｊａと、軸受けＪＴｂ、ＪＴｃに保持される軸Ｊｂとをガイドとしてスライドされる。タイミングベルトＴＢａはタイミングベルト駆動モータＭａによって駆動回転される。また用紙整合板１１０Ｂは、従動回転されるプーリＰＬｂを介して排紙方向に直角な方向に移動可能とするタイミングベルトＴＢｂに支持され、同じく軸受けＪＴａに保持される軸Ｊａと、軸受けＪＴｂ、ＪＴｃに保持される軸Ｊｂとをガイドとしてスライドされる。タイミングベルトＴＢｂはタイミングベルト駆動モータＭｂによって駆動回転される。
【００２３】
・昇降排紙皿（昇降トレイ）
図２に示すように、昇降排紙皿（昇降トレイ）２００は、用紙台２０２と、用紙台２０２を着脱可能な用紙積載手段２０１と、昇降トレイ駆動モータＭｃとによって構成される。昇降排紙皿（昇降トレイ）２００は、用紙整合部１００の下方で、水平に記録紙（用紙）Ｐを積載する。昇降トレイ２００は昇降トレイ駆動モータＭｃにより昇降可能に構成され、後述するように昇降トレイ２００に積載される記録紙Ｐの上面位置が一定（所定位置）になるように制御される。
【００２４】
・上面検知手段
図２または図３に示すように、上面検知手段１３０は、上記用紙整合部１００に配置され、上面検知部材としての突起部材１３１と、上面検知駆動手段として用いられるソレノイドＳＤと、当該突起部材１３１の位置を検出する上面位置検知センサとして用いられる、例えばインタラプタスイッチＩＳｗとによって構成される。また突起部材１３１は、回転軸Ｊｔに一体的に固定されて取り付けられ、また回転軸Ｊｔの一端（図３の下側）には、同じく回転軸Ｊｔに一体的に固定されるアクチュエータＡＣａが設けられる。回転軸ＪｔはコイルバネＳＰｂの力で下方に付勢されており、上記ソレノイドＳＤのｏｎ−ｏｆｆによって、突起部材１３１とアクチュエータＡＣａとを一体として回転される。即ちソレノイドＳＤのｏｎ−ｏｆｆによって、突起部材１３１とアクチュエータＡＣａとが取り付けられる回転軸Ｊｔが回転され、回転軸Ｊｔを回転中心として、回転軸Ｊｔに取り付けられるアクチュエータＡＣａと突起部材１３１とが回転される。またアクチュエータＡＣａの遮蔽によって、上面位置検知センサとしてのインタラプタスイッチＩＳｗがｏｎ−ｏｆｆされる。ソレノイドＳＤのｏｎ状態においては、回転軸Ｊｔが図２に矢印で示す反時計方向に回転され、突起部材１３１が実線で示す持ち上げたような位置に保たれる。通常ソレノイドＳＤはｏｎ状態とされる。また記録紙Ｐが搬入されてソレノイドＳＤがｏｆｆ状態とされると、回転軸ＪｔはコイルバネＳＰｂと自重とによって回転する。回転軸Ｊｔに固定されたアクチュエータＡＣａの作動によりインタラプタスイッチＩＳｗの検知光が遮断され、インタラプタスイッチＩＳｗによる記録紙Ｐ（或いは用紙束Ｔ）の積載量の検知が行われる。また、ソレノイドＳＤがｏｆｆ状態とされると、突起部材１３１は図４において示す矢印方向に回転し、ベルトＢａ、Ｂｂ下面の用紙パス（符号なし）に搬入される記録紙Ｐの上面を、搬送パスＨＬａの上方から下方に向けて叩き落とし、昇降トレイ２００上に記録紙Ｐを押さえるようにして積載させる。記録紙Ｐ（或いは用紙束Ｔ）が積載された昇降トレイ２００は、突起部材駆動手段としての例えばソレノイドＳＤのｏｎ−ｏｆｆによって回転されるアクチュエータＡＣａにより、上面位置検知センサとしてのインタラプタスイッチＩＳｗがｏｎ−ｏｆｆされ、ｏｎ−ｏｆｆされるインタラプタスイッチＩＳｗの検知情報に基づいて、所定位置まで下降される。
【００２５】
（３）用紙積載装置の用紙積載処理動作について、図４、及び前述した図２、図３に基づき、以下に説明する。なお図４は、上面検知手段を示す斜視図である。
【００２６】
１  画像記録装置の本体（画像形成装置Ａ）から記録紙（用紙）Ｐが排出される。
【００２７】
２  用紙積載装置Ｂの入口部１０から、用紙搬送部２０を通して記録紙Ｐが搬送され、記録紙Ｐの先端が用紙整合部１００に到達する。
【００２８】
３  胴内排紙ローラＤＲａの記録紙Ｐの搬送方向出口側に待機され、ベルトＢａに取り付けられる先端保持手段としての先端保持部材１０２によって、先端位置を保持されて、ベルトＢａ、Ｂｂの下側の用紙パス（図２参照、符号なし）に記録紙Ｐが搬入される。即ち、先端保持部材１０２が胴内排紙ローラＤＲａの出口側で待っていて、入口部１０より進入される記録紙Ｐの先端がセンサＳａを切って所定時間経過後ると、先端保持部材１０２を保持するベルトＢａが動き出し、速度が零から始まって加速され出し、先端保持部材１０２が通常速度と成ったところで、バネＳＰａとベルトＢａとの間に記録紙Ｐが挟み込まれる。
【００２９】
具体的には、搬送ローラＨＲａと胴内排紙ローラＤＲａとは等速で、且つコピー速度と同じ通常速度で回転し、記録紙Ｐを搬送し、用紙搬送部２０を搬送される記録紙Ｐの先端が、胴内排紙ローラＤＲａに係る前に、ベルトＢａが回転され出し、胴内排紙ローラＤＲａの出口側に待機された先端保持部材１０２が、あるタイミングで加速されて、図２の矢印で示す方向に移動され出され、先端保持部材１０２が先端ストッパ１０１に至るまでの間に、記録紙Ｐの先端が、ベルトＢａにより移動される先端保持部材１０２に追いつき、先端保持部材１０２が取り付けられるベルトＢａと、胴内排紙ローラＤＲａによって給送される記録紙Ｐの先端とが、等速（通常速度）と成ったところで、先端保持部材１０２のバネＳＰａとベルトＢａとの間に記録紙Ｐがくわえ込まれる。先端保持部材１０２のバネＳＰａとベルトＢａとによって、記録紙Ｐの先端がくわて保持された状態で、記録紙Ｐが先端ストッパ１０１位置へと搬送される。
【００３０】
ベルトＢａの両側のベルトＢｂにそれぞれ設けられる先端ストッパ１０１は、用紙（記録紙）Ｐのサイズに応じて異なる固定位置で待機される。記録紙Ｐが先端ストッパ１０１に突き当った後、時計方向に回転されるベルトＢａと共に先端保持部材１０２が移動される。
【００３１】
４  先端ストッパ１０１に突き当って停止された記録紙Ｐは、先端保持部材１０２のバネＳＰａから外れ、記録紙Ｐが自重で落下され始める。
【００３２】
５  この際、左右の（両端の）用紙整合板１１０Ａ、１１０Ｂの記録紙Ｐの幅方向（記録紙Ｐの搬送方向）のシフトが行われ、左右の（両端の）用紙整合板１１０Ａ、１１０Ｂによる、自由落下される記録紙Ｐの幅方向の整合が行われる。記録紙Ｐの用紙整合板１１０Ａ、１１０Ｂによる幅方向のシフトは、１枚ないし数枚、或いは１０枚ないし数十枚程度のコピーを単位とする１プリント毎に行われる。また、用紙整合部１００に搬送される記録紙Ｐの中央部に対して、左右の位置で記録紙Ｐの整合が行われる。左右の（両端の）用紙整合板１１０Ａ、１１０Ｂの記録紙Ｐの幅方向の左右へのシフトによる記録紙Ｐの整合は、例えば中央部より右側へ１５ｍｍ、次に反対側（左側）へ１５ｍｍと交互に行われ、左右で３０ｍｍシフトされ、記録紙Ｐの整合が行われる。
【００３３】
６  用紙整合部１００で用紙整合板１１０Ａ、１１０Ｂによる記録紙Ｐの整合が終わって、記録紙Ｐが落下している途中で、或いは落下した後に、先端ストッパ１０１が取り付けられるベルトＢｂを、記録紙Ｐの後端側を反時計方向に基準板１０３側に向けて瞬時動かし、記録紙Ｐの後端側を反時計方向に基準板１０３側に向けて移動させ、記録紙Ｐが基準板１０３に突き当ってフリーとなって移動され、記録紙Ｐの搬送方向の用紙整合が行われる。
【００３４】
７  突起部材１３１が用紙整合部１００の上方から下方の昇降トレイ２００の積載用紙上面に向けて移動される。
【００３５】
８  突起部材１３１によって落下中の記録紙Ｐの上面を叩き、落下を促進させる。具体的には、上面検知手段１３０の突起部材１３１が、搬送パスＨＬａの上方の待避位置から、下方で落下中の記録紙Ｐに向けて移動し、記録紙Ｐの上面を叩く。記録紙Ｐの落下が促進され、記録紙Ｐと突起部材１３１とが昇降トレイ２００の記録紙Ｐの積載上面に到達する。そのまま所定時間突起部材１３１が昇降トレイ２００の積載用紙上面を押さえ、記録紙Ｐのずれを防止する。
【００３６】
９  自重とバネ荷重とで記録紙Ｐの上面に乗っている突起部材１３１は、昇降トレイ２００の記録紙Ｐの積載上面に到達後、所定時間、記録紙Ｐの積載上面を押さえつつ、上面検知手段１３０による記録紙Ｐの上面位置の検知が行われる。即ち、突起部材１３１が記録紙Ｐの上面を押さえている間にインタラプタスイッチＩＳｗによって突起部材１３１の位置を検知し、昇降トレイ２００を所定位置になるまで下降させる（記録紙Ｐの上面位置が一定になるように制御される）。
【００３７】
具体的には、図４に示すように、アクチュエータＡＣａはネジＮａによって、回転軸Ｊｔの一側端に固定される。また前述したように、ソレノイドＳＤ（図２参照、図４には不図示）がｏｆｆとされ、先ず回転軸Ｊｔを回転中心としてアクチュエータＡＣａが矢印で示す方向に回転されて（アクチュエータＡＣａが落ちて）、アクチュエータＡＣａがインタラプタスイッチＩＳｗを遮断し、インタラプタスイッチＩＳｗをｏｆｆとさせる。アクチュエータＡＣａがインタラプタスイッチＩＳｗを遮断して、インタラプタスイッチＩＳｗがｏｆｆとされて数ｍｓｅｃの後に、インタラプタスイッチＩＳｗの状態を視る。即ち、上面検知のところで、ソレノイドＳＤ（図２参照、図４には不図示）をｏｆｆとし、突起部材１３１により、記録紙Ｐの上面を叩き落とし、インタラプタスイッチＩＳｗの状態を視る。インタラプタスイッチＩＳｗの遮断位置よりもアクチュエータＡＣａの端部（図４の上側）が上側にきているときは、ソレノイドＳＤをｏｆｆとしてアクチュエータＡＣａを落としたにも拘わらず、アクチュエータＡＣａがインタラプタスイッチＩＳｗの遮断位置に在る状態であり、昇降トレイ２００に記録紙Ｐが所定枚数積載されていると判断されるので、昇降トレイ駆動モータＭｃによって昇降トレイ２００を降下するように動作させる。即ち、昇降トレイ駆動モータＭｃの回転により移動部材プーリ（符号なし）を回転させ、移動部材ワイヤ（符号なし）の回転により、用紙台２０２の取り付けられる用紙積載手段２０１を下降させる。昇降トレイ２００の下降動作による突起部材１３１が下がることにより、アクチュエータＡＣａも矢印の方向に下がり、アクチュエータＡＣａがインタラプタスイッチＩＳｗから外れ、インタラプタスイッチＩＳｗがｏｎされる。このインタラプタスイッチＩＳｗのｏｎされる位置が、１プリント毎の昇降トレイ２００の下降の所定位置である。１プリントは、前述したように、１枚ないし数枚、或いは１０枚ないし数十枚程度のコピーを単位とするものである。
【００３８】
１０  上述したように、記録紙Ｐの積載上面が所定位置になるまで昇降トレイ２００を下降させる。
【００３９】
１１  ソレノイドＳＤを再びｏｎとし、突起部材１３１を待避位置（図２参照、図４には不図示）に移動する。
【００４０】
１２  次の記録紙（用紙）Ｐが画像記録装置の本体（画像形成装置Ａ）から排出され、用紙積載装置Ｂに搬入される。
【００４１】
なお上記において、突起部材１３１による記録紙Ｐの叩き落としは、１コピー（コピー１枚）毎に行われ、昇降トレイ２００の下降動作制御は１プリント毎に行われる。
【００４２】
上記の如く、本発明の如き構成をとることにより、用紙積載装置に設けられる昇降排紙皿（昇降トレイ）上での用紙のシフト処理が可能であり、落下時に用紙上面を叩くため、落下時間が短縮されて処理時間に余裕ができ、高速化の対応が図られ、且つ、用紙の昇降排紙皿への落下後も上面検知手段により、積載される用紙の上面を検知している間は用紙上面が押さえられているため、積載される用紙の整合後の用紙ずれの防止が図られる用紙積載装置を備える画像記録装置が得られる。
【００４３】
なお、以上説明した用紙積載装置に加えて、穿孔処理、綴じ処理、穿孔処理、折り畳み処理等の後処理装置を画像形成装置と用紙積載装置との間に結合して用いることも可能である。
【００４４】
【発明の効果】
本発明によれば、用紙積載装置の用紙搬送部に設けられる用紙整合板によるシフトが可能であり、落下時に用紙上面を叩くため、落下時間が短縮されて処理時間に余裕ができ、高速化の対応が図られ、且つ、用紙の昇降排紙皿への落下後も上面検知手段により、積載される用紙の上面を検知している間は用紙上面が押さえられているため、積載される用紙の整合後の用紙ずれの防止が図られる用紙積載装置を備える画像記録装置の提供が可能となった。
【図面の簡単な説明】
【図１】本発明に係わる画像記録装置の一実施の形態の要部断面構成図である。
【図２】用紙積載装置の要部断面図である。
【図３】図２の上面図である。
【図４】上面検知手段を示す斜視図である。
【符号の説明】
１０  入口部
２０  用紙搬送部
１００  用紙整合部
１０１  先端ストッパ
１０２  先端保持部材
１０３  基準板
１１０Ａ，１１０Ｂ  用紙整合板
１３０  上面検知手段
１３１  突起部材
２００  昇降排紙皿（昇降トレイ）
２０１  用紙積載手段
２０２  用紙台
Ａ  画像形成装置
Ｂ  用紙積載装置
ＡＣａ  アクチュエータ
Ｂａ，Ｂｂ  ベルト
ＤＲａ  胴内排紙ローラ
ＨＬａ  搬送パス
ＩＳｗ  インタラプタスイッチ
Ｍｃ  昇降トレイ駆動モータ
ＳＤ  ソレノイド
ＳＰａ  バネ
ＳＰｂ  コイルバネ
Ｐ  記録紙（用紙）
Ｔ  用紙束
【図１】
2004189457.tif 000003
【図２】
2004189457.tif 000004
【図３】
2004189457.tif 000005
【図４】
2004189457.tif 000006